(57)【要約】【課題】外装カバーの合わせ目の隙間を小型の構成で小さくすること【解決手段】前カバー２０Ａに、前カバー２０Ａの端から第１の方向に延出する第１の係合部と、第１の方向とは異なる第２の方向に延出する第２の係合部とを形成し、上カバー４０Ａ、第１の係合部と係合可能な第３の係合部と、第２の係合部と係合可能な第４の係合部とを形成し、上カバー４０Ａに対して前カバー２０Ａを第１の方向に移動させることで第１の係合部と第３の係合部とを係合させ、第１の係合部と第３の係合部とを係合させた後、上カバー４０Ａに対して前カバー２０Ａを第２の方向に移動させることで第２の係合部と第４の係合部とを係合させ、第２の係合部と第４の係合部とを係合させることで、第１の係合部と第３の係合部との間に発生する隙間をつめた状態で前カバー２０Ａと上カバー４０Ａとを固定する。【選択図】図５
2012032684.tif 000002
【特許請求の範囲】
【請求項１】
第１の外装カバーと第２の外装カバーを有する電子機器であって、
前記第１の外装カバーに、前記第１の外装カバーの端から第１の方向に延出する第１の係合部と、前記第１の方向とは異なる第２の方向に延出する第２の係合部とを形成し、
前記第２の外装カバーに、前記第１の係合部と係合可能な第３の係合部と、前記第２の係合部と係合可能な第４の係合部とを形成し、
前記第２の外装カバーに対して前記第１の外装カバーを前記第１の方向に移動させることで前記第１の係合部と前記第３の係合部とを係合させ、
前記第１の係合部と前記第３の係合部とを係合させた後、前記第２の外装カバーに対して前記第１の外装カバーを前記第２の方向に移動させることで前記第２の係合部と前記第４の係合部とを係合させ、
前記第２の係合部と前記第４の係合部とを係合させることで、前記第１の係合部と前記第３の係合部との間に発生する隙間をつめた状態で前記第１の外装カバーと前記第２の外装カバーとを固定することを特徴とする電子機器。
【請求項２】
前記第１の外装カバーは金属材料で形成し、前記第１の外装カバーの一部をシェービング加工することによって前記第１の係合部を形成するとともに、弾性変形が可能な形成した係合部を前記第１の外装カバーに固定することで、前記第２の係合部を形成することを特徴とする請求項１に記載の電子機器。
【請求項３】
第１の外装カバーと第２の外装カバーを有する電子機器であって、
前記第１の外装カバーに、前記第１の外装カバーの端から第１の方向に延出する第１の係合部と、前記第１の方向とは異なる第２の方向に延出する第２の係合部とを形成し、
前記第２の外装カバーに、前記第１の係合部と係合可能な第３の係合部と、前記第２の係合部と係合可能な第４の係合部とを形成し、
前記第２の外装カバーに対して前記第１の外装カバーを前記第１の方向に移動させることで前記第１の係合部と前記第３の係合部とを係合させ、
前記第１の係合部と前記第３の係合部とを係合させた後、前記第２の外装カバーに対して前記第１の外装カバーを回転させることで前記第２の係合部と前記第４の係合部とを係合させ、
前記第２の係合部と前記第４の係合部とを係合させることで、前記第１の係合部と前記第３の係合部との間に発生する隙間をつめた状態で前記第１の外装カバーと前記第２の外装カバーとを固定することを特徴とする電子機器。
【請求項４】
前記第１の外装カバーは金属材料で形成し、前記第１の外装カバーの一部をシェービング加工することによって前記第１の係合部および前記第２の係合部を形成することを形成することを特徴とする請求項３に記載の電子機器。
【請求項５】
前記第２の係合部には穴部が形成されるとともに、前記第４の係合部には前記穴部の端面が接触する傾斜面が形成され、
前記第２の外装カバーに対して前記第１の外装カバーを回転させて前記第１の係合部と前記第３の係合部とを係合させる際に、前記傾斜面に前記端面が接触することなく、前記第１の係合部と前記第３の係合部とが係合することを特徴とする請求項３または４に記載の電子機器。
【請求項６】
前記第２の外装カバーは、前記電子機器の前記第１の外装カバーによってカバーされる面と交差する面をカバーすることを特徴とする請求項１ないし４のいずれか１項に記載の電子機器。
【発明の詳細な説明】
【技術分野】
【０００１】
本発明は、電子機器に関する。
【背景技術】
【０００２】
電子機器は、電子部品を筺体に収納してこれを保護し、筺体は複数の分割された外装カバーを互いに係合することによって構成され、筺体の小型化は益々要求されている。係合に外装カバーとは別の係合部材を使用すると部品点数が増えてコストアップをもたらすため、外装カバー自身にシェービング加工によって係合部を形成することが考えられる。シェービング加工はせん断加工された加工面を薄く削り取って曲げダレやバリをなくす加工方法である。しかしながら、シェービング加工は係合部の厚さにばらつきをもたらし、外装カバー同士を回転しながら係合する方法では外装カバーの合わせ目（継ぎ目）の隙間が大きくなり、筺体内への塵埃の侵入が問題となる。そこで、特許文献１は、外装カバーの合わせ目の隙間を調整するために移動可能な係止部材を開示している。
【先行技術文献】
【特許文献】
【０００３】
【特許文献１】特開２００８−１４１１２９号公報
【発明の概要】
【発明が解決しようとする課題】
【０００４】
しかしながら、特許文献１は部品点数が多く内部スペースが必要で筺体の小型化を達成することが困難である。
【０００５】
そこで、本発明は、外装カバーの合わせ目の隙間を小型の構成で小さくすることが可能な電子機器を提供することを例示的な目的とする。
【課題を解決するための手段】
【０００６】
本発明の電子機器は、第１の外装カバーと第２の外装カバーを有する電子機器であって、前記第１の外装カバーに、前記第１の外装カバーの端から第１の方向に延出する第１の係合部と、前記第１の方向とは異なる第２の方向に延出する第２の係合部とを形成し、前記第２の外装カバーに、前記第１の係合部と係合可能な第３の係合部と、前記第２の係合部と係合可能な第４の係合部とを形成し、前記第２の外装カバーに対して前記第１の外装カバーを前記第１の方向に移動させることで前記第１の係合部と前記第３の係合部とを係合させ、前記第１の係合部と前記第３の係合部とを係合させた後、前記第２の外装カバーに対して前記第１の外装カバーを前記第２の方向に移動させることで前記第２の係合部と前記第４の係合部とを係合させ、前記第２の係合部と前記第４の係合部とを係合させることで、前記第１の係合部と前記第３の係合部との間に発生する隙間をつめた状態で前記第１の外装カバーと前記第２の外装カバーとを固定することを特徴とする。
【発明の効果】
【０００７】
本発明によれば、外装カバーの合わせ目の隙間を小型の構成で小さくすることが可能な電子機器を提供することができる。
【図面の簡単な説明】
【０００８】
【図１】デジタルカメラの分解斜視図である。（実施例１）
【図２】図１に示す前カバーの拡大部分斜視図である。
【図３】図１に示すデジタルカメラの上面図である。
【図４】図１に示すデジタルカメラの拡大部分斜視図である。
【図５】図３の断面図である。
【図６】デジタルカメラの上面図である。（実施例２）
【図７】図６に示すデジタルカメラの前カバーの拡大部分斜視図である。
【図８】図６に示すデジタルカメラの拡大部分斜視図である。
【図９】図６の断面図である。
【発明を実施するための形態】
【０００９】
以下、添付図面を参照して、本発明の実施例について説明する。
【実施例１】
【００１０】
図１は、実施例１のデジタルカメラ（電子機器、撮像装置）の背面側の分解斜視図である。本実施例のデジタルカメラは、電子部品であるカメラアッセンブリ１０を収納する筺体を構成する前カバー（第１の外装カバー）２０Ａと後カバー３０Ａと、カメラアッセンブリ１０の上部に設けられた上カバー（第２の外装カバー）４０Ａを有する。上カバー（第２の外装カバー）４０Ａは、前カバー（第１の外装カバー）２０Ａによってカバーされるデジタルカメラ前面に対して交差する面となるデジタルカメラ上面をカバーする。
【００１１】
カメラアッセンブリ１０は、撮影準備及び撮影開始を指示するレリーズボタン１１、光学式またはデジタル式で変倍（ズーム）の倍率を調節するズームレバー１２、電源ボタン１３を有する。なお、本発明が適用可能な電子機器はデジタルカメラに限定されず、ＰＤＡ、ゲーム機など他の電子機器を含む。
【００１２】
前カバー（第１の外装カバー）２０Ａ、後カバー３０Ａ及び上カバー（第２の外装カバー）４０Ａはデジタルカメラの筺体を構成する複数の外装カバーである。前カバー２０Ａと後カバー３０Ａはアルミニウムなどの金属材料から構成され、上カバー４０Ａは樹脂材料から構成され、上カバー４０Ａは前カバー２０Ａと後カバー３０Ａによって挟まれている。
【００１３】
図２は、図１のＴ１部の拡大斜視図である。前カバー（第１の外装カバー）２０Ａは、レリーズボタン１１が設けられている近傍のＴ１部において、係合部２１ａ及び２１ｂと、凹部２４と、係合部２１ａ、２１ｂと同じ面の別箇所であるＴ２部に、上カバー４０Ａと係合する係合部２６を有する。
【００１４】
係合部２１ａ及び２１ｂは、それぞれ、後述する図５（ａ）に示すように断面Ｌ字形状（または下方に突出した凸形状）を有する。係合部２１ａ及び２１ｂは、前カバー２０Ａの端から第１の方向に延出する第１の係合部として機能する。係合部２１ａ及び２１ｂは、前カバー２０Ａを機械加工であるシェービング加工することによって前カバーの一部自身に形成されている。本実施例では、金属製の前カバー２０Ａに対して曲げ加工後にシェービング加工を施し、前カバー２０Ａ自身の材質で係合部２１ａ及び２１ｂを形成している。
【００１５】
シェービング加工とは抜き加工後に縁部に発生する曲げダレを削り取る加工方法である。前カバー２０Ａ自身に係合部２１ａ及び２１ｂを形成しているので、別部材である係合部をカシメ固定によって前カバー２０Ａに固定するよりも部品点数を少なくすることができ、コストダウンにつながる。また、縁部２２ａ及び２２ｂには曲げダレがなくなり、前カバー２０Ａの端面２３Ａがそろうので上カバー４０Ａと係合した場合の合わせ面が整い、塵埃が侵入しにくくなる。
【００１６】
しかし、シェービング加工はせん断加工された加工面を薄く削り取るのでシェービング加工された係合部の厚さは薄くなると共にその厚みにばらつきが生じる。このため、前カバー２０Ａと上カバー４０Ａとの合わせ面には隙間が発生し、このままでは塵埃が内部に侵入してしまう。
【００１７】
凹部２４は、押出し加工によって形成される。凹部２４の底面には図２には不図示の突起（ダボ）２４ａが形成されている。突起２４ａは、後述する図５（ｂ）に示されている。
【００１８】
係合部（第２の係合部）２６は薄板板金で形成されており、図２には不図示の穴部（図５（ｂ）には図示）２６ｃに突起２４ａが挿入されることによって前カバー２０Ａにカシメ固定されている。係合部２６は、係合部２１ａ及び２１ｂが延出される第１の方向とは異なる第２の方向に延出している。係合部２６は、断面四角形形状を有して弾性変形が可能であり、その内部に、上カバー４０Ａの係合部４２と係合する断面四角形形状の係合穴２６ａ（穴部）を有する。
【００１９】
図３は、デジタルカメラの上面図である。図４は、前カバー２０Ａと上カバー４０Ａの分解斜視図である。
【００２０】
上カバー４０Ａは、前カバー２０Ａの係合部２１ａ、２１ｂにそれぞれ係合可能な係合部（第３の係合部）４１ａ、４１ｂと、係合部２６と係合可能な係合部（第４の係合部）４２と、を有する。
【００２１】
係合部４１ａ及び４１ｂは、それぞれ断面Ｌ字形状を有し、上カバー４０Ａに対して前カバー２０Ａを第１の方向に移動させると、それぞれが形成する凹部に係合部２１ａと２１ｂの凸部が挿入されることによって両者は係合する。係合されると、係合部２１ａと２１ｂの凸部と係合部４１ａ及び４１ｂの凸部は向かい合うことになる。
【００２２】
係合部４２は、傾斜面（テーパー面）４２ａと四角形形状の上面４２ｂを有する（即ち、係合部４２は面取りされている）。係合部２１ａ，２１ｂと係合部４１ａ，４１ｂとを係合さえた後、上カバー４０Ａに対して前カバー２０Ａを第２の方向に移動させると、係合部２６の端面２６ｂが係合部４２の傾斜面４２ａに接触し、力を受ける。その結果、係合部２６が係合穴２６ａの周りで傾斜面４２ａに沿って弾性変形し、その後、端面２６ｂが上面４２ｂの上を進む。上面４２ｂは係合穴２６ａよりも小さいので、その後、係合部４２の上面４２ｂを含む先端部は係合穴２６ａに挿入および嵌合し、これによって係合部２６と係合部４２は係合する。
【００２３】
図５（ａ）は、図３のＡ−Ａ´断面図である。図５（ａ）において、上カバー４０Ａの係合部４１ｂは前カバー２０Ａの係合部２１ｂと係合しているが、係合部２１ｂの厚さはシェービング加工によって薄くなっているため、係合部４１ｂとは隙間Ｓ１が発生している。但し、シェービング加工のために、係合部４１ｂの縁部２２ｂに曲げ加工のダレはない。
【００２４】
図５（ｂ）は、図３のＢ−Ｂ´断面図である。図５（ｂ）において、上カバー４０Ａの係合部４２は前カバー２０Ａの係合部２６と係合しているが、係合部４２の先端部が係合部２６の係合穴２６ａに挿入されるため、図５（ａ）に示す隙間Ｓ１よりも隙間は小さくなる。そのため、係合部２１ａ、２１ｂと係合部４１ａ、４１ｂの係合だけよりも前カバー２０Ａの端面２３Ａと上カバー４０Ａの端面４４との合わせ面の隙間をつめた状態とすることができる。
【００２５】
また、係合部２２ａ、２２ｂと係合部４１ａ、４１ｂの係合量を多くすることができるため、電子機器の落下時の衝撃で前カバー２０Ａと上カバー４０Ａが外れることを抑制することが可能になる。
【００２６】
なお、本実施例では、前カバー２０Ａと上カバー４０Ａとの係合について説明したが、上述の構成は、後カバー３０Ａと上カバー４０Ａとの係合や前カバー２０Ａと後カバー３０Ａの係合にも適用可能である。これは、以下に説明する実施例２についても同様である。
【実施例２】
【００２７】
図６は、実施例２のデジタルカメラ（電子機器、撮像装置）の上面図である。本実施例のデジタルカメラは、電子部品である不図示のカメラアッセンブリを収納する前カバー（第１の外装カバー）２０Ｂと後カバー３０Ｂと、カメラアッセンブリの上部に設けられた（第２の外装カバー）上カバー４０Ｂと、を有する。
【００２８】
実施例１と同様に、前カバー（第１の外装カバー）２０Ｂ、後カバー３０Ｂ及び上カバー（第２の外装カバー）４０Ｂはデジタルカメラの筺体を構成する複数の外装カバーである。前カバー２０Ｂと後カバー３０Ｂは金属材料から構成され、上カバー４０Ｂは樹脂材料から構成され、上カバー４０Ｂは前カバー２０Ｂと後カバー３０Ｂによって挟まれている。
【００２９】
図７は、前カバー２０Ｂの拡大部分斜視図である。前カバー２０Ｂは、シェービング加工によって形成されたＬ字形状の係合部（爪部）（第１の係合部）２１ｃと、シェービング加工によって形成された係合部（第２の係合部）２７と、を有する。なお、実施例１と同様に、前カバー２０Ｂが係合部２１ｃ以外の第１の係合部を有してよい。
【００３０】
実施例１と同様に、係合部２１ｃの上カバー４０Ｂとの合わせ目の縁部２２ｃは、シェービング加工によって曲げ加工のダレがなくなっている。一方、係合部２７は、係合部２５の代わりに設けられ、前カバー２０Ｂを機械加工することによって前カバー２０Ｂの一部に形成されているので部品点数を削減することができる。係合部２７の形状は係合部２５の先端の形状と同様で、係合穴２７ａが形成され、その縁部２２ｅは、シェービング加工によって曲げダレが除去されている。即ち、本実施例では、係合部２１ｃが形成された端面２３Ｂと係合部２７ａが形成された端面２３Ｂは同一面を構成する。
【００３１】
図８は前カバー２０Ｂと上カバー４０Ｂの分解斜視図である。上カバー４０Ａに対して前カバー２０Ａを第１の方向に移動させることで、前カバー２０Ｂの係合部２１ｃは上カバー４０Ｂの係合部４５と係合することができる。そして、上カバー４０Ｂに対して前カバー２０Ｂを回転させることで、前カバー２０Ｂの係合部２７は上カバー４０Ｂの係合部４６と係合することができる。
【００３２】
係合部４５は、それが形成する凹部に係合部２１ｃの凸部が挿入されることによって両者は係合する。係合部４５は、係合部４１ａ及び４１ｂとは異なり、断面Ｌ字形状ではなく中空穴を有するが、機能は係合部４１ａ及び４１ｂと同様である。
【００３３】
係合部４６は、傾斜面（テーパー面）４６ａと底面４６ｂを有する（即ち、係合部４６は面取りされている）。係合時には前カバー２０Ｂが上カバー４０Ｂに対して回転しながら、係合部２７の端面２７ｂが係合していくため、係合部４６の傾斜面４６ａがあることで、端面２７ｂが、係合部４６に接触することなく、前カバー２０Ｂを回転することができる。さらに回転の移動量を少なくなるために、組立しやすくなる。底面４６ｂは係合穴２７ａよりも小さいので、その後、係合部４６の底面４６ｂを含む先端部は係合穴２７ａに挿入および嵌合し、これによって係合部２７と係合部４６は係合する。
【００３４】
図９（ａ）は、図６のＣ−Ｃ´断面図である。図９（ａ）において、上カバー４０Ｂの係合部４５は前カバー２０Ｂの係合部２１ｃと係合しているが、係合部２１ｃの厚さはシェービング加工によって薄くなっているため、係合部４５とは隙間Ｓ２が発生している。
【００３５】
図９（ｂ）は、図６のＤ−Ｄ´断面図である。図９（ｂ）において、上カバー４０Ｂの係合部４６は前カバー２０Ｂの係合部２７と係合しているが、係合部４６の先端部が係合部２７の係合穴２７ａに挿入されるため、図９（ａ）に示す隙間Ｓ２よりも隙間は小さくなる。そのため、係合部２１ｃと係合部４５の係合だけよりも外装カバーの合わせ目の隙間を小さくすることができる。
【００３６】
上カバー４０Ｂの係合部４６に斜面４６ａを形成しているので、係合部２７と４６の係合は容易になり、組立性が向上する。
【００３７】
以上、本発明の好ましい実施例について説明したが、本発明はこれらの実施例に限定されず、その要旨の範囲内で種々の変形及び変更が可能である。
【産業上の利用可能性】
【００３８】
電子機器は電子的な処理の用途に適用することができる。
【符号の説明】
【００３９】
２０Ａ、２０Ｂ          前カバー（第１のカバー）
４０Ａ、４０Ｂ          上カバー（第２のカバー）
２１ａ〜２１ｃ          係合部（第１の係合部）
２６、２７              係合部（第２の係合部）
４１ａ、４５            係合部（第３の係合部）
４２、４６              係合部（第４の係合部）
４２ａ、４６ａ          傾斜面
２６ｂ、２７ｂ          端面
【図１】
2012032684.tif 000003
【図２】
2012032684.tif 000004
【図３】
2012032684.tif 000005
【図４】
2012032684.tif 000006
【図５】
2012032684.tif 000007
【図６】
2012032684.tif 000008
【図７】
2012032684.tif 000009
【図８】
2012032684.tif 000010
【図９】
2012032684.tif 000011